(57)【要約】【課題】本発明は身体の痛い部分が広くても、貼り付け、取り外しが容易で、楽に短時間に行なって、痛みを短時間に除去できるとともに、安価に製造することができる治療用テープを得るにある。【解決手段】治療用テープ本体と、この治療用テープ本体の内側面に形成された粘着剤層と、この粘着剤層を覆うように粘着固定された、該粘着剤層で身体に貼着可能な格子あるいはハニカム形状の刺激付与網体とで治療用テープを構成している。【選択図】  図１
2004148098.tif 000002
【特許請求の範囲】
【請求項１】
治療用テープ本体と、この治療用テープ本体の内側面に形成された粘着剤層と、この粘着剤層を覆うように粘着固定された、該粘着剤層で身体に貼着可能な格子あるいはハニカム形状の刺激付与網体とからなることを特徴とする治療用テープ。
【請求項２】
所定間隔で多数個の通気孔が形成された治療用テープ本体と、この治療用テープ本体の内側面に前記通気孔を塞ぐことなく形成された粘着剤層と、この粘着剤層に粘着固定された、該粘着剤層で身体に貼着可能な格子あるいはハニカム形状の刺激付与網体とからなることを特徴とする治療用テープ。
【請求項３】
布地で形成された治療用テープ本体と、この治療用テープ本体の内側面に形成された粘着剤層と、前記治療用テープ本体に前記粘着剤層で身体に貼着できるように、該粘着剤層よりも突出するように格子状に編み込み形成された刺激付与網体とからなることを特徴とする治療用テープ。
【請求項４】
治療用テープ本体はロール状に巻付収納できるように帯状に形成されていることを特徴とする請求項１、２、３いずれかに記載の治療用テープ。
【請求項５】
刺激付与体あるいは刺激付与網目は直径が０．３ｍｍ〜０．７ｍｍの糸を用いて、３ｍｍ〜７ｍｍのピッチの格子状あるいはハニカム形状に形成されていることを特徴とする請求項１、２、３、４いずれかに記載の治療用テープ。
【請求項６】
治療用テープ本体と、この治療用テープ本体の内側面に形成された粘着剤層と、この粘着剤層に粘着固定あるいは前記治療用テープ本体に固定された、該粘着剤層で身体に貼着可能な所定間隔で並列させた糸やロープ等を用いた多数個の刺激付与体とからなることを特徴とする治療用テープ。
【請求項７】
治療用テープ本体と、この治療用テープ本体の内側面に形成された粘着剤層と、この粘着剤層に粘着固定された、多数個の微小粒の刺激付与体とからなることを特徴とする治療用テープ。
【発明の詳細な説明】
【０００１】
【発明の属する技術分野】
本発明は身体の痛い部位に貼って、その痛みを除去することができる治療用テープに関する。
【０００２】
【従来の技術】
従来、身体の痛みを除去する治療用具として、約２０ｍｍ位の小さな絆創膏の粘着面のほぼ中央部に５ｍｍ位の刺激粒を固定したものが市販されている。
【０００３】
【発明が解決しようとする課題】
従来の刺激粒を固定した絆創膏の治療用具は、身体の痛い部分が小さい場合には問題ないが、広い場合には多数個貼り付けなければならず、その貼り付け、取り外しに手数と時間がかかり、大変面倒な作業で、コスト高になるという欠点があった。
【０００４】
本発明は以上のような従来の欠点に鑑み、身体の痛い部分が広くても、貼り付け、取り外しが容易で、楽に短時間に行なって、痛みを短時間に除去できるとともに、安価に製造することができる治療用テープを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は治療用テープ本体と、この治療用テープ本体の内側面に形成された粘着剤層と、この粘着剤層を覆うように粘着固定された、該粘着剤層で身体に貼着可能な格子あるいはハニカム形状の刺激付与網体とで治療用テープを構成している。
【０００７】
【発明の実施の形態】
以下、図面に示す実施の形態により、本発明を詳細に説明する。
【０００８】
図１ないし図６に示す本発明の第１の実施の形態において、１はロール状に巻付収納された本発明の治療用テープで、この治療用テープ１はわずかに伸縮可能な材質で形成された、ほぼ７５ｍｍの幅寸法の帯状の治療用テープ本体２と、この治療用テープ本体２の内側面に粘着剤を塗布して形成された粘着剤層３と、この粘着剤層３に粘着固定された、該粘着剤層３で身体に貼着可能なハニカム形状の刺激付与網体４とで構成されている。
【０００９】
前記刺激付与網体４は直径が０．３ｍｍ〜０．７ｍｍの糸を用いて、３ｍｍ〜７ｍｍのピッチのハニカム形状に編まれたものが使用されている。
【００１０】
上記構成の治療用テープ１は身体の痛い部位を覆える寸法に切断して、粘着剤層３の粘着剤により、身体の凝りや痛い部位に、図５に示すように貼り付けたり、図６に示すように膝が痛い場合には膝の上下部位を巻付けるように貼り付けるとともに、その隙間も覆えるように切断して貼り付ける。
この状態で、身体の痛い部位には刺激付与網体４によって押し圧刺激が付与され、凝りや痛みを短時間に除去することができる。
なお、治療用テープ１の貼り付け時間は数十分でよく、このような治療用テープ１の貼り付けを１０日〜２０日間ぐらい続けることにより、完全に凝りや痛みがなくなるように治療することができる。
【００１１】
【発明の異なる実施の形態】
次に、図７ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図７ないし図９に示す本発明の第２の実施の形態において、前記本発明の第１の実施の形態と主に異なる点は、格子状の刺激付与網体４Ａを用いた点で、このような刺激付与網体４Ａを用いて構成した治療用テープ１Ａにしても、前記本発明の第１の実施の形態と同様な作用効果が得られる。
【００１３】
図１０および図１１に示す本発明の第３の実施の形態において、前記本発明の第１の実施の形態と主に異なる点は、所定間隔で多数個の通気孔５が形成された治療用テープ本体２Ａと、この治療用テープ本体２Ａの内側面に前記通気孔５を塞ぐことなく形成された粘着剤層３Ａとを用いた点で、このように構成された治療用テープ１Ｂにしても、前記本発明の第１の実施の形態と同様な作用効果が得られるとともに、使用時のむれを効率よく防止することができ、かつ多数個の通気孔５によって伸縮しない材質の治療用テープ本体２Ａでも伸縮させて使用することができる。
【００１４】
図１２ないし図１４に示す本発明の第４の実施の形態において、前記本発明の第２の実施の形態と主に異なる点は、布地で形成された治療用テープ本体２Ｂと、この治療用テープ本体２Ｂに編み込み形成された格子状の刺激付与網目４Ｂとを用いた点で、このように構成された治療用テープ１Ｃにしても、前記本発明の第２の実施の形態と同様な作用効果が得られる。
なお、治療用テープ本体２Ｂに編み込み形成される格子状の刺激付与網目４Ｂは、内側面にだけ形成してもよく、あるいは内側および外側面に突出するように形成してもよい。
【００１５】
図１５および図１６に示す本発明の第５の実施の形態において、前記本発明の第２の実施の形態と主に異なる点は、粘着剤層３に所定間隔で並列するように糸やロープ等の紐を用いた刺激付与体６を粘着固定した点で、このように形成された治療用テープ１Ｄにしても、前記本発明の第２の実施の形態と同様な作用効果が得られる。
なお、この所定間隔で並列する刺激付与体６は前記第４の実施の形態にも同様に使用することができる。
【００１６】
図１７および図１８に示す本発明の第６の実施の形態において、前記本発明の第１の実施の形態と主に異なる点は、粘着剤層３に多数個の０．３ｍｍ〜１ｍｍ程度の大きさの微小粒の刺激付与体６Ａを粘着固定した点で、このように構成された治療用テープ１Ｅにしても、前記本発明の第１の実施の形態と同様な作用効果が得られる。
【００１７】
なお、前記本発明の各実施の形態ではロール巻き収納した治療用テープについて説明したが、本発明はこれに限らず、湿布のように所定の大きさに形成されたものでもよい。
【００１８】
【発明の効果】
以上の説明から明らかなように、本発明にあっては次に列挙する効果が得られる。
【００１９】
（１）治療用テープ本体と、この治療用テープ本体の内側面に形成された粘着剤層と、この粘着剤層を覆うように粘着固定された、該粘着剤層で身体に貼着可能な格子あるいはハニカム形状の刺激付与網体とで構成されているので、治療用テープ本体の内側面の粘着剤層の粘着剤によって、身体に刺激付与網体によって刺激を付与した状態で貼り付けることができる。
したがって、治療用テープ本体全体で身体に刺激を付与でき、効率よく凝りや痛みの治療を行なうことができる。
【００２０】
（２）前記（１）によって、身体への貼り付けや取り外しが、短時間に楽に行なうことができる。
【００２１】
（３）前記（１）によって、構造が簡単で安価で容易に製造することができる。
【００２２】
（４）請求項２、３、５も前記（１）〜（３）と同様な効果が得られる。
【００２３】
（５）請求項４も前記（１）〜（３）と同様な効果が得られるとともに、必要な寸法に切断して使用することができるため、凝りや痛みが広い面積の場合には、より効率よく貼り付けたり、取り外したりすることができる。
【００２４】
（６）請求項６、７も前記（１）〜（３）と同様な効果が得られる。
【図面の簡単な説明】
【図１】本発明の第１の実施の形態の平面図。
【図２】本発明の第１の実施の形態の側面図。
【図３】図１の３−３線に沿う拡大断面図。
【図４】本発明の第１の実施の形態の分解説明図。
【図５】本発明の第１の実施の形態の使用状態の説明図。
【図６】本発明の第１の実施の形態の異なる使用状態の説明図。
【図７】本発明の第２の実施の形態の平面図。
【図８】本発明の第２の実施の形態の側面図。
【図９】図７の９−９線に沿う拡大断面図。
【図１０】本発明の第３の実施の形態の平面図。
【図１１】図１０の１１−１１線に沿う拡大断面図。
【図１２】本発明の第４の実施の形態の平面図。
【図１３】本発明の第４の実施の形態の側面図。
【図１４】図１２の１４−１４線に沿う拡大断面図。
【図１５】本発明の第５の実施の形態の平面図。
【図１６】図１５の１６−１６線に沿う拡大断面図。
【図１７】本発明の第６の実施の形態の平面図。
【図１８】図１７の１８−１８線に沿う拡大断面図。
【符号の説明】
１、１Ａ、１Ｂ、１Ｃ、１Ｄ、１Ｅ：治療用テープ、
２、２Ａ、２Ｂ：治療用テープ本体、
３、３Ａ：粘着剤層、
４、４Ａ、４Ｂ：刺激付与網体、
５：通気孔、
６、６Ａ：刺激付与体。
【図１】
2004148098.tif 000003
【図２】
2004148098.tif 000004
【図３】
2004148098.tif 000005
【図４】
2004148098.tif 000006
【図５】
2004148098.tif 000007
【図６】
2004148098.tif 000008
【図７】
2004148098.tif 000009
【図８】
2004148098.tif 000010
【図９】
2004148098.tif 000011
【図１０】
2004148098.tif 000012
【図１１】
2004148098.tif 000013
【図１２】
2004148098.tif 000014
【図１３】
2004148098.tif 000015
【図１４】
2004148098.tif 000016
【図１５】
2004148098.tif 000017
【図１６】
2004148098.tif 000018
【図１７】
2004148098.tif 000019
【図１８】
2004148098.tif 000020